(57)【要約】【課題】  順次供給される中頁シートを、予め定める順序で積層することができ、短時間で効率よく製本を行うことができる製本装置を提供する。【解決手段】  製本装置１は、積層部１３と、供給部１１と、切換部１２と、切換制御部とを含んで構成される。積層部１３は、枚葉紙から成る中頁シート４が水平方向Ｘに積層して収容される中頁シート収容領域を有する。供給部１１は、中頁シート４を１枚ずつ積層部１３に供給する。切換部１２は、供給部１１と積層部１３との間に設けられる。切換部１２は、供給部１１から積層部１３へ供給される中頁シート４の移動経路を、中頁シート収容領域に積層された中頁シートの積層方向一方側および積層方向他方側のいずれか一方に切換える。切換制御部は、収容領域に収容される中頁シート４の予め定める積層順序に応じて、切換部１２が行う移動経路の切換え動作を制御する。【選択図】      図２
2011218568.tif 000002
【特許請求の範囲】
【請求項１】
枚葉紙から成る中頁シートが水平方向に積層して収容される中頁シート収容領域を有する積層部と、
前記中頁シートを１枚ずつ前記積層部に供給する供給部と、
前記供給部と前記積層部との間に設けられ、前記供給部から前記積層部へ供給される中頁シートの移動経路を、前記中頁シート収容領域に積層された中頁シートの積層方向一方側および積層方向他方側のいずれか一方に切換える切換部と、
前記収容領域に収容される中頁シートの予め定める積層順序に応じて、前記切換部が行う前記移動経路の切換え動作を制御する切換制御部とを含むことを特徴とする製本装置。
【請求項２】
前記積層部は、前記中頁シート収容領域に収容されている中頁シートの外縁部に、前記中頁シートの面方向かつ水平方向の外方から接触する位置に設けられ、前記面方向かつ水平方向に振動する加振部材を有することを特徴とする請求項１に記載の製本装置。
【請求項３】
前記積層部は、前記供給部から中頁シート収容領域に供給される中頁シートの表面に接触して押下げ力を付与する案内部材を有することを特徴とする請求項１または２に記載の製本装置。
【発明の詳細な説明】
【技術分野】
【０００１】
本発明は、枚葉紙から成る中頁シートを積層して製本する製本装置に関する。
【背景技術】
【０００２】
従来の技術に係る製本装置は、表紙シートと中頁シートとが水平または斜めに積層された状態で収容される表紙シート収容部および中頁シート収容部を具備している。前記中頁シート収容部には、中頁シートが１枚ずつ順次供給され、供給された中頁シートを上方に積層し収容している。また前記表紙シート収容部は、表紙シートを送り出す送り出し機構によって表紙シートを１枚ずつ送り出し、前記表紙シート収容部から搬送されてきた中頁シートを角変位させて表紙シートの中央部に載置し、中頁シートと表紙シートとを綴じ合わせて製本するように構成されている（たとえば特許文献１参照）。
【先行技術文献】
【特許文献】
【０００３】
【特許文献１】特開２００８−１６２１７８号公報
【発明の概要】
【発明が解決しようとする課題】
【０００４】
前記従来の技術に係る製本装置は、供給される中頁シートを下方から上方へ向けて、順次積層する構成であるので、中頁シートの積層順序を変更することができないという問題がある。したがって、プリンタなどの画像形成装置から製本装置に中頁シートを供給して製本する際に、製本装置に供給する中頁シートの順番を、画像形成装置において予め設定しなければならず、さらに画像形成装置の種類によっては、中頁シートを希望する順序に積層することができないという問題がある。
【０００５】
また、前記従来の技術に係る製本装置では、中頁シート収容部に画像形成装置から供給された順序とは異なる順序で中頁シートを積層して製本に用いる場合、一旦積層された中頁シートに対して積層順序を入れ換える作業が必要であるけれども、この作業は時間を要し、製本装置の効率を悪化させるという問題もある。
【０００６】
本発明の目的は、順次供給される中頁シートを、予め定める順序で積層することができ、短時間で効率よく製本を行うことができる製本装置を提供することである。
【課題を解決するための手段】
【０００７】
本発明は、枚葉紙から成る中頁シートが水平方向に積層して収容される中頁シート収容領域を有する積層部と、
前記中頁シートを１枚ずつ前記積層部に供給する供給部と、
前記供給部と前記積層部との間に設けられ、前記供給部から前記積層部へ供給される中頁シートの移動経路を、前記中頁シート収容領域に積層された中頁シートの積層方向一方側および積層方向他方側のいずれか一方に切換える切換部と、
前記収容領域に収容される中頁シートの予め定める積層順序に応じて、前記切換部が行う前記移動経路の切換え動作を制御する切換制御部とを含むことを特徴とする製本装置である。
【０００８】
また本発明は、前記積層部は、前記中頁シート収容領域に収容されている中頁シートの外縁部に、前記中頁シートの面方向かつ水平方向の外方から接触する位置に設けられ、前記面方向かつ水平方向に振動する加振部材を有することを特徴とする。
【０００９】
また本発明は、前記積層部は、前記供給部から中頁シート収容領域に供給される中頁シートの表面に接触して押下げ力を付与する案内部材を有することを特徴とする。
【発明の効果】
【００１０】
本発明によれば、製本装置は、積層部と、供給部と、切換部と、切換制御部とを含んで構成される。積層部は、枚葉紙から成る中頁シートが水平方向に積層して収容される中頁シート収容領域を有する。供給部は、中頁シートを１枚ずつ積層部に供給する。切換部は、供給部と積層部との間に設けられる。切換部は、供給部から積層部へ供給される中頁シートの移動経路を、中頁シート収容領域に積層された中頁シートの積層方向一方側および積層方向他方側のいずれか一方に切換える。切換制御部は、収容領域に収容される中頁シートの予め定める積層順序に応じて、切換部が行う移動経路の切換え動作を制御する。
【００１１】
これによって、供給部から積層部へ供給される中頁シートの移動経路が切換部によって切換えられるので、供給部から供給される中頁シートが、降順および昇順のいずれであっても、複数の中頁シートを適切に集層することができる。たとえば供給部から積層部１３へ降順で中頁シートが供給されている状態において、エラーなどで供給が中断し、その後に供給部から積層部１３へ昇順で中頁シートが供給されるときであっても、積層部１３は、頁番号が連続するように各中頁シートを積層することができる。したがって、積層部は、供給される中頁シートを、予め定める積層順序で順次積層して収容することができる。製本装置は、たとえば供給される複数の中頁シートに、一連の頁番号が付されているときであっても、頁番号が連続するように各中頁シートを積層することができ、利便性を高めることができる。したがって、製本装置は、短時間で効率よく製本を行うことができる。
【００１２】
また本発明によれば、積層部は、加振部材を有する。加振部材は、中頁シート収容領域に収容されている中頁シートの外縁部に、中頁シートの面方向かつ水平方向の外方から接触する位置に設けられ、面方向かつ水平方向に振動する。
【００１３】
これによって、積層部は、中頁シート収容領域に収容されている中頁シートの面方向かつ水平方向の位置を整列することができる。したがって、製本装置は、整列された中頁シートを用いて製本を行うことができる。
【００１４】
また本発明によれば、積層部は、案内部材を有する。案内部材は、供給部から中頁シート収容領域に供給される中頁シートの表面に接触して押下げ力を付与する。
【００１５】
これによって、積層部は、供給される中頁シートに押下げ力を付与して、静電気などによって中頁シートが互いに付着することを防止することができる。したがって、積層部は、中頁シートを中頁シート収容領域に確実に案内することができる。
【図面の簡単な説明】
【００１６】
【図１】本発明の一実施形態の製本装置１を簡略化して示す断面図である。
【図２】切換部１２および積層部１３の具体的な構成を拡大して示す断面図である。
【図３】切換部１２および積層部１３の断面図である。
【図４】表紙シート５を保持している状態の製本部１４を示す正面図である。
【図５】表表紙５ｂと裏表紙５ｃとを離間させている状態の製本部１４を示す正面図である。
【図６】表紙シート５と中頁シート束４ａとを接着させている状態の製本部１４を示す正面図である。
【図７】実施例１における中頁シート４の排出順序および切換部１２の制御を示す図である。
【図８】実施例２における中頁シート４の排出順序および切換部１２の制御を示す図である。
【図９】実施例３における中頁シート４の排出順序および切換部１２の制御を示す図である。
【図１０】実施例４における中頁シート４の排出順序および切換部１２の制御を示す図である。
【図１１】実施例５における中頁シート４の排出順序および切換部１２の制御を示す図である。
【図１２】実施例６における中頁シート４の排出順序および切換部１２の制御を示す図である。
【図１３】実施例７における中頁シート４の排出順序および切換部１２の制御を示す図である。
【発明を実施するための形態】
【００１７】
図１は、本発明の一実施形態の製本装置１を簡略化して示す断面図である。本実施形態の製本装置１は、供給部１１と、切換部１２と、積層部１３と、製本部１４と、表紙シート収容部１５と、表紙シート取出部１６と、印字部１７と、昇降搬送部１８とを含んで構成される。
【００１８】
さらに製本装置１は、前記各部１２〜１８を制御するための制御部４８と、液晶パネルなどによって実現される表示部４９と、タッチパネルなどによって実現される入力部４７とを含む。制御部４８は、中央処理装置（Central processing Unit:略称「ＣＰＵ」）、メモリなどを含むコンピュータなどによって実現される。メモリには、前記各部１２〜１８を制御するための制御プログラムが記憶され、この制御プログラムをＣＰＵが読み出して実行する。
【００１９】
製本装置１は、建物の水平な床３５に設置される。本実施形態において、図１の左右方向をＸ方向とし、Ｘ方向のうちの右へ向かう方向をＸ１方向とし、左へ向かう方向をＸ２方向とする。図１の紙面に垂直な奥行き方向をＹ方向とし、Ｙ方向のうちの紙面から手前へ向かう方向をＹ１方向とし、紙面から奥へ向かう方向をＹ２方向とする。図１の上下方向をＺ方向とし、Ｚ方向のうちの上へ向かう方向をＺ１方向とし、下へ向かう方向をＺ２方向とする。これらの方向Ｘ，Ｙ，Ｚは、直角に交わる３軸を成す。
【００２０】
供給部１１は、中頁シート４を１枚ずつ積層部１３に供給する。中頁シート４は、たとえば縦寸法が２１６ｍｍであり横寸法が１６０ｍｍである枚葉紙、縦寸法が２１６ｍｍであり横寸法が２１６ｍｍである枚葉紙、縦寸法が２１６ｍｍであり横寸法が３００ｍｍである枚葉紙などによって実現される。中頁シート４は、紙のみに限定されず、合成樹脂製のフィルムであってもよい。
【００２１】
供給部１１は、画像形成装置１０において写真、文字および図柄を印刷された枚葉紙から成る中頁シート４が供給される搬入口２１を有するケーシング２２、およびケーシング２２内に上下方向Ｚに間隔を空けて設けられる複数対の搬送ローラ対２３ａ，２３ｂ；２４ａ，２４ｂ；２５ａ，２５ｂ；２６ａ，２６ｂを有する。
【００２２】
ケーシング２２は、天板２７と、底板２８と、天板２７および底板２８の周縁部に垂直に連なる４つの側板２９とを有し、大略的に中空の直方体状に形成される。ケーシング２２は、たとえば金属または合成樹脂から成る。
【００２３】
搬入口２１は、４つの側板２９のうち、画像形成装置１０に臨む一方の側板２９ａの上部に形成され、搬入口２１の近傍に最上段の搬送ローラ対２３ａ，２３ｂが設けられる。搬入口２１を介して、画像形成装置１０から供給された中頁シート４を最上段の搬送ローラ対２３ａ，２３ｂに供給され、残余の搬送ローラ対２４ａ，２４ｂ；２５ａ，２５ｂ；２６ａ，２６ｂによって、下方へ搬送される。搬送ローラ対２３ａ，２３ｂ；２４ａ，２４ｂ；２５ａ，２５ｂ；２６ａ，２６ｂによって、搬送経路Ａが形成される。
【００２４】
各搬送ローラ対２３ａ，２３ｂ；２４ａ，２４ｂ；２５ａ，２５ｂ；２６ａ，２６ｂは、駆動ローラ２３ａ〜２６ａと、各駆動ローラ２３ａ〜２６ａに接触する従動ローラ２３ｂ〜２６ｂと、各駆動ローラ２３ａ〜２６ａを回転駆動する図示しないローラ駆動部とを含んで構成される。各搬送ローラ対２３ａ，２３ｂ；２４ａ，２４ｂ；２５ａ，２５ｂ；２６ａ，２６ｂの回転方向は、搬送経路Ａに沿って、中頁シート４を最上段の搬送ローラ対２３ａ，２３ｂから、最下段の搬送ローラ対２６ａ，２６ｂに向かって搬送する回転方向Ｄ１に選ばれる。
【００２５】
底板２８には、各搬送ローラ対２３ａ，２３ｂ；２４ａ，２４ｂ；２５ａ，２５ｂ；２６ａ，２６ｂによって搬送される中頁シート４を排出するための搬出口３１が形成される。この底板２８の下方には、切換部１２および積層部１３が設けられる。
【００２６】
前記ケーシング２２は、供給部１１と、切換部１２と、積層部１３と、製本部１４と、表紙シート収容部１５と、表紙シート取出部１６と、印字部１７と、昇降搬送部１８とが収容されるハウジング３４の上部でかつ一側部側に一体に設けられる。ハウジング３４は、上部には、供給部１１に近接して、画像形成装置１０が搭載されている。
【００２７】
表紙シート収容部１５は、大略的に中空な直方体状であって、下方に臨んで開放されて形成される。ケーシング４１内に、水平方向、すなわち左右方向Ｘに整列して複数の表紙シート５が収容される。
【００２８】
表紙シート５は、シート状の部材によって実現され、シート状部材の各短辺に平行な２つの直線に関して互いに近接する方向にそれぞれ略垂直に折り曲げられ、前記平行な各直線に垂直な断面が略Ｕ字に形成される。前記平行な２つの直線間の領域が背表紙５ａとなり、残余の領域が表表紙５ｂおよび裏表紙５ｃとなる。表紙シート５は、ケーシング４１内において、折り曲げられた状態で、背表紙５ａを下方に向けた姿勢で、下方に取出し可能に保持される。
【００２９】
本実施形態の製本装置１では、折り曲げられた状態において、縦寸法が２１７ｍｍであり横寸法が１６１ｍｍである表紙シート５、縦寸法が２１７ｍｍであり横寸法が２１７ｍｍである表紙シート５、縦寸法が２１７ｍｍであり横寸法が３０１ｍｍである表紙シート５などを用いる。各表紙シート５は、厚み寸法が９ｍｍに形成される。表紙シート５は、紙、合成樹脂製フィルムなどから成る。
【００３０】
表紙シート取出部１６は、切欠きが形成される一対の挟持爪４２を有する。切欠きは、奥行き方向Ｙを長手形状に形成される。各挟持爪４２は、奥行き方向Ｙに間隔を空けて設置され、互いに近接および離間可能に構成される。各挟持爪４２は、近接時において切欠きが表紙シート５の下端部に嵌まり込んで表紙シート５を挟持する。
【００３１】
表紙シート取出部１６は、表紙シート収容部１５の下方の領域において、上下方向Ｚおよび左右方向Ｘに移動可能に構成される。表紙シート取出部１６は、挟持爪４２が表紙シート５を挟持している状態で、下方に移動して、表紙シート５を表紙シート収容部１５から下方に引き出す。
【００３２】
製本部１４は、搬送手段３８によって左右方向Ｘに移動可能であり、表紙シート収容部１５の下方の位置まで移動し、表紙シート取出部１６から表紙シート５を受けとり、表紙シート５が載置された状態で積層部１３の下方の位置へ移動する。
【００３３】
製本部１４には、表紙シート収容部１５から表紙シート取出部１６によって引出された表紙シート５が上方に開放した状態で支持されており、表紙シート５へ積層部１３から中頁シート４が供給される。製本部１４は、表紙シート５と中頁シート４とを接着させるための接着部材７を軟化させる加熱手段３７を有する。
【００３４】
製本部１４は、中頁シート４の側部と、表紙シート５の背表紙５ａとを接着して製本し、冊子６を作成する。作成された冊子６は、製本部１４に保持された状態で、搬送手段３８によって搬送方向一方Ｘ２に搬送される。
【００３５】
印字部１７は、製本部１４から冊子６を受取り、受取った冊子６の背表紙５ａに、予め定める文字、図柄が印字される。印字部１７は、たとえば熱転写方式の画像形成装置によって実現される。昇降搬送部１８は、印字部１７によって印字された冊子６を受取り、受取った冊子６を上方へ搬送し排出口４４から排出する。
【００３６】
図２は、切換部１２および積層部１３の具体的な構成を拡大して示す断面図である。図３は、切換部１２および積層部１３の断面図である。供給部１１の下方には、切換部１２および積層部１３が設けられる。
【００３７】
切換部１２は、供給部１１と積層部１３との間に設けられる。切換部１２は、供給部１１から積層部１３へ供給される中頁シート４の移動経路を、中頁シート収容領域６５に積層された中頁シート４の積層方向一方側Ｘ１および積層方向他方側Ｘ２のいずれか一方に切換える。
【００３８】
切換部１２は、ケーシング５３と、切換部材５１とを含む。ケーシング５３は、奥行き方向Ｙを長手とする中空の長方形状に形成される。ケーシング５３は、上方の一部および下方の全部が開口し、切換部材５１を外囲する。ケーシング５３は、たとえば金属または合成樹脂から成る。
【００３９】
製本装置１は、図示しない切換制御部をさらに含む。切換制御部は、中頁シート収容領域６５に収容される中頁シート４の予め定める積層順序に応じて、切換部１２が行う移動経路の切換え動作を制御する。切換制御部は、制御部４８、具体的にはＣＰＵによって実現される。
【００４０】
切換部材５１は、切換部材５１を奥行き方向Ｙに貫通する軸５２を有し、この軸５２を中心として角変位可能に構成される。軸５２は、奥行き方向Ｙに形成される。切換部材５１は、棒状に形成され、断面が大略的に涙型に形成される。具体的には、切換部材５１の断面は、偏心しており、軸５２から最も離間した部位が半径方向外方に突出して先端部５４をなす。切換部材５１は、外周が滑らかに形成され、ケーシング５３内において、先端部５４を上方に向けて配置される。
【００４１】
切換部材５１は、軸５２を中心として角変位することによって、先端部５４を右方に寄せた第１状態、および先端部５４を左方に寄せた第２状態とに切換え可能である。切換部１２は、図示しないコイルバネ、電磁ソレノイドを含み、これらコイルバネおよび電磁ソレノイドによって切換部材５１が駆動される。
【００４２】
積層部１３は、枚葉紙から成る中頁シート４が水平方向、すなわち左右方向Ｘに積層して収容される中頁シート収容領域６５を有する。中頁シート収容領域６５は、側板６１の左右方向Ｘの中央部に設けられ、中頁シート４が左右方向Ｘに積層される領域である。積層部１３は、中頁シート収容領域６５において、たとえば１〜２５枚の中頁シート４を積層する。
【００４３】
積層部１３は、上部の一部が切換部１２に下方から挿入されて配置される。積層部１３は、２つの側板６１と、２つの底板６２とを含んで構成される。側板６１は、長方形状の板状部材によって形成される。側板６１は、たとえば金属から成る。２つの側板６１は、左右方向Ｘに間隔を空けて、左右方向Ｘに垂直に配置される。
【００４４】
側板６１は、中頁シート４の積層方向、すなわち左右方向Ｘに振動可能に構成される。具体的には、図示しないモータによって回転駆動される偏心カムまたは振動子などの振動源から振動が付与されることによって、左右方向Ｘに振動する。
【００４５】
積層部１３は、案内部材６３を有する。案内部材６３は、２つの側板６１のそれぞれの内表面上に設けられる。案内部材６３は、弾力性を有する板状のゴムなどから成る。案内部材６３は、舌状片６４を含み、舌状片６４は、上下方向Ｚに対して予め定める角度θ、たとえば１５°を成して、内方に突出する。各舌状片６４は、上端部において案内部材６３と接続され、上端部から下端部へ向かうにつれて案内部材６３と離間する形状に形成される。
【００４６】
案内部材６３は、側板６１の振動が伝達することによって振動する。案内部材６３は、振動している状態において、供給部１１から中頁シート収容領域６５に供給される中頁シート４の表面に接触して押下げ力を付与する。
【００４７】
底板６２は、側板６１の下部の位置において、水平に配置される。２つの底板６２は、奥行き方向Ｙの外方から側板６１を挟んで配置される。
【００４８】
積層部１３は、加振部材６６を有する。加振部材６６は、中頁シート収容領域６５に収容されている中頁シート４の外縁部に、中頁シート４の面方向かつ水平方向の外方から接触する位置に設けられ、面方向かつ水平方向に振動する。中頁シート４の面方向かつ水平方向は、奥行き方向Ｙと一致する。加振部材６６は、板状の金属または合成樹脂から成る。加振部材６６は、加振部材６６の面方向と上下方向Ｚとを一致させて、底板６２の上面に設けられる。加振部材６６は、上端部が中頁シート４に臨む方向とは逆の方向に反って形成される。加振部材６６は、図示しないモータによって回転駆動される偏心カムまたは振動子などの振動源から振動を付与されることによって、奥行き方向Ｙに振動する。
【００４９】
積層部１３は、挟着手段６８を有する。挟着手段６８は、底板６２の上方でかつ切換部１２の下方の位置に設置される。挟着手段６８は、奥行き方向Ｙに間隔を空けて、一対の挟着ハンド６９を有する。挟着ハンド６９は、底板６２の上方でかつ切換部１２の下方の位置に設置される。挟着ハンド６９は、中頁シート収容領域６５の中頁シート４の奥行き方向Ｙの両端部付近に配置される。
【００５０】
中頁シート４は、供給部１１から下方の切換部材５１の軸５２に向けて供給される。供給部１１から切換部材５１までの搬送経路Ｂは、中頁シート４の面方向と、切換部材５１の軸５２方向とが一致する。
【００５１】
中頁シート４は、切換部材５１が第１状態において、搬送経路Ｃ１を経て積層部１３へ搬送され、切換部材５１が第２状態において、搬送経路Ｃ２を経て積層部１３へ搬送される。表示部４９および入力部４７からの操作によって、切換部材５１の切換動作の設定を行うことができ、この設定に従って、切換制御部は、切換部１２の動作を制御する。
【００５２】
供給部１１から中頁シート４が供給されている状態では、側板６１は、左右方向Ｘに振動し、加振部材６６は、奥行き方向Ｙに振動している。側板６１が振動することによって、舌状片６４が振動し、中頁シート４を下方に押下げる力を付与する。これによって、たとえば中頁シート４が帯電して静電気的に吸着している場合であっても、中頁シート４を１枚ずつ分離して、確実に中頁シート収容領域６５へ案内することができる。
【００５３】
加振部材６６が振動することによって、中頁シート収容領域６５で積層されている複数の中頁シート４を、奥行き方向Ｙに整列することができる。
【００５４】
積層部１３は、予め設定される数の中頁シート４が供給されると、側板６１および加振部材６６の振動を停止させ、挟着ハンド６９が、中頁シート収容領域６５の複数の中頁シート４の奥行き方向Ｙの両端部を挟持する。以後、中頁シート収容領域６５内の１または複数の中頁シート４を、「中頁シート束４ａ」ともいう。これによって、積層部１３は、加振部材６６の振動停止後においても、中頁シート束４ａの整列状態を維持することができる。
【００５５】
挟着ハンド６９は、中頁シート束４ａを挟持した状態で下方へ移動し、中頁シート束４ａを下方へ搬送する。挟着ハンド６９は、搬送した中頁シート束４ａを、下方で待機している製本部１４へ渡す。
【００５６】
図４は、表紙シート５を保持している状態の製本部１４を示す正面図である。製本部１４は、加熱手段３７と、加熱手段３７の上方に配置される挟持手段７６と、挟持手段７６の上方に配置される吸引手段８１とを含んで構成される。
【００５７】
加熱手段３７は、基台７１と、乗載テーブル７３と、発熱部７２を含む。基台７１は、水平に配置される板状の金属から成る。発熱部７２は、たとえば電熱ヒータなどで実現され、基台７１の上方に固定される。乗載テーブル７３は、奥行き方向Ｙを長手とする中空の直方体から成る。乗載テーブル７３は、金属から成る。乗載テーブル７３は、発熱部７２を上方および左右方向Ｘの側方から外囲する。乗載テーブル７３は、発熱部７２の上部と接触し、発熱部７２で発生した熱が伝達可能である。乗載テーブル７３の奥行き方向Ｙの寸法は、表紙シート５の背表紙５ａの長手方向の寸法よりも大きく形成される。
【００５８】
挟持手段７６は、表紙シート５を挟持するための一対の挟持部材７７を有する。挟持部材７７は、左右方向Ｘに間隔を空けて配置され、左右方向Ｘに互いに近接および離間可能に構成される。挟持部材７７は、奥行き方向Ｙを長手とする長方形状に形成される。挟持部材７７は、金属、合成樹脂またはゴムから成る。
【００５９】
吸引手段８１は、一対のシート保持体８２を有する。シート保持体８２は、左右方向Ｘに間隔を空けて配置され、左右方向Ｘに互いに近接および離間可能に構成される。各シート保持体８２は、吸引パネル８３と、吸引ファンユニット８４とを有する。吸引パネル８３は、奥行き方向Ｙを長手とする長方形状に形成される。吸引パネル８３は、金属または合成樹脂から成る。吸引パネル８３の中央部には、円形の開口部が形成される。
【００６０】
吸引ファンユニット８４は、吸引パネル８３の開口部を、吸引パネル８３が近接する方向に外方から覆って設置される。吸引ファンユニット８４は、吸引ファン８５を有し、吸引ファン８５は、モータ電圧が印加されることによってファンブレードが回転駆動し、一対の吸引パネル８３が互いに離間する方向の吸引力を発生させる。
【００６１】
製本部１４は、搬送手段３８によって左右方向Ｘに移動可能に構成される。製本部１４は、搬送手段３８によって、表紙シート収容部１５の下方の位置まで移動し、表紙シート取出部１６から表紙シート５を受けとる。製本部１４は、表紙シート取出部１６から受取った表紙シート５を、乗載テーブル７３に載置し、挟持手段７６を近接させる方向に駆動させ、挟持手段７６によって表紙シート５を保持する。また、製本部１４は、吸引パネル８３を互いに近接する方向に駆動させて、表紙シート５を挟む。
【００６２】
表紙シート５は、表表紙５ｂおよび裏表紙５ｃの面を左右方向Ｘに垂直にして、背表紙５ａを下方に向けた状態で、乗載テーブル７３に載置される。表紙シート５は、接着部材７を含む。背表紙５ａの内面には、接着部材７が配置される。接着部材７は、たとえば軟化点がたとえば７５℃〜９５℃の成分で構成され、ホットメルトシートによって実現される。
【００６３】
製本部１４は、図４に示した状態において、搬送手段３８によって、表紙シート収容部１５の下方の位置から右方へ移動し、積層部１３の下方の位置で停止する。
【００６４】
図５は、表表紙５ｂと裏表紙５ｃとを離間させている状態の製本部１４を示す正面図である。製本部１４は、吸引ファン８５を駆動させて、表表紙５ｂと裏表紙５ｃとが互いに離間する方向に、表紙シート５を吸引する。製本部１４は、表紙シート５を吸引している状態で、シート保持体８２を互いに離間する方向に駆動させ、さらに挟持部材７７を互いに離間する方向に駆動させる。表紙シート５は、背表紙５ａを軸として、表表紙５ｂと裏表紙５ｃとが角変位し互いに離間する。
【００６５】
製本部１４は、表表紙５ｂと裏表紙５ｃとが互いに離間している状態で、積層部１３から中頁シート束４ａを受けとる。積層部１３は、中頁シート束４ａを挟着ハンド６９で保持した状態で下方へ移動し、中頁シート束４ａを表紙シート５に挿入する。中頁シート束４ａの下端部は、背表紙５ａの上の接着部材７に接触する。
【００６６】
図６は、表紙シート５と中頁シート束４ａとを接着させている状態の製本部１４を示す正面図である。積層部１３は、中頁シート束４ａを表紙シート５に挿入した後に、挟着ハンド６９による中頁シート束４ａの保持を停止して中頁シート束４ａを解放し、上方へ移動する。
【００６７】
製本部１４は、挟持部材７７を互いに近接する方向に駆動させ、中頁シート束４ａが挿入された表紙シート５を挟持する。また、製本部１４は、シート保持体８２を互いに近接する方向に駆動させる。加熱手段３７は、発熱部７２を発熱させ、背表紙５ａの上の接着部材７を加熱させる。接着部材７は、加熱されて予め定める温度になると軟化し、粘性流体となる。接着部材７が軟化すると、中頁シート束４ａと背表紙５ａとの間に流れ込み、さらに各中頁シート４の間にも流れ込む。加熱手段３７が加熱を停止させ、接着部材７の温度が低下すると、接着部材７は、硬化して固体となり、各中頁シート４と背表紙５ａとを接着する。
【００６８】
製本部１４は、製本、すなわち中頁シート束４ａと表紙シート５とを接着して、冊子６を作成する。冊子６とは、中頁シート束４ａと表紙シート５とが接着部材７によって接着され、製本された状態をいう。製本部１４は、作成した冊子６を挟持手段７６で保持した状態で、搬送手段３８によって左方に移動し、印字部１７の右方に隣接する位置で停止する。
【００６９】
図１に示した印字部１７は、製本部１４から冊子６を受取り、受取った冊子６の背表紙５ａに、予め定める文字、図柄が印字される。昇降搬送部１８は、印字部１７によって印字された冊子６を受取り、受取った冊子６を上方へ搬送し排出口４４から排出する。
【００７０】
このように、製本装置１は、積層部１３と、供給部１１と、切換部１２と、切換制御部とを含んで構成される。積層部１３は、枚葉紙から成る中頁シート４が水平方向、すなわち左右方向Ｘに積層して収容される中頁シート収容領域６５を有する。供給部１１は、中頁シート４を１枚ずつ積層部１３に供給する。切換部１２は、供給部１１と積層部１３との間に設けられる。切換部１２は、供給部１１から積層部１３へ供給される中頁シート４の移動経路を、中頁シート収容領域６５に積層された中頁シート４の積層方向一方側および積層方向他方側のいずれか一方に切換える。切換制御部は、中頁シート収容領域６５に収容される中頁シート４の予め定める積層順序に応じて、切換部１２が行う移動経路の切換え動作を制御する。
【００７１】
これによって、供給部１１から積層部１３へ供給される中頁シート４の移動経路が切換部１２によって切換えられるので、供給部１１から供給される中頁シート４が、降順および昇順のいずれであっても、複数の中頁シート４を適切に集層することができる。たとえば供給部１１から積層部１３へ降順で中頁シート４が供給されている状態において、エラーなどで供給が中断し、その後に供給部１１から積層部１３へ昇順で中頁シート４が供給されるときであっても、積層部１３は、頁番号が連続するように各中頁シート４を積層することができる。したがって、積層部１３は、供給される中頁シート４を、予め定める積層順序で順次積層して収容することができる。製本装置１は、たとえば供給される複数の中頁シート４に、一連の頁番号が付されているときであっても、頁番号が連続するように各中頁シート４を積層することができ、利便性を高めることができる。したがって、製本装置１は、短時間で効率よく製本を行うことができる。
【００７２】
さらに、積層部１３は、加振部材６６を有する。加振部材６６は、中頁シート収容領域６５に収容されている中頁シート４の外縁部に、中頁シート４の面方向かつ水平方向、すなわち奥行き方向Ｙの外方から接触する位置に設けられ、奥行き方向Ｙに振動する。
【００７３】
これによって、積層部１３は、中頁シート収容領域６５に収容されている中頁シート４の奥行き方向Ｙの位置を整列することができる。したがって、製本装置１は、整列された中頁シート４を用いて製本を行うことができる。
【００７４】
さらに、積層部１３は、案内部材６３を有する。案内部材６３は、供給部１１から中頁シート収容領域６５に供給される中頁シート４の表面に接触して押下げ力を付与する。
【００７５】
これによって、積層部１３は、供給される中頁シート４に押下げ力を付与して、静電気などによって中頁シート４が互いに付着することを防止することができる。したがって、積層部１３は、中頁シート４を中頁シート収容領域６５に確実に案内することができる。
【００７６】
他の実施形態においては、製本部１４が図示しないヒートシンクを有して構成される。ヒートシンクは、たとえば金属から成り、中空の略直方体状に形成される。製本部１４は、発熱部７２によって接着部材７を加熱して製本を行った後、挟持手段７６が冊子６をヒートシンク上に載置させて、接着部材７および背表紙５ａの温度を迅速に低下させることができる。これによって、製本装置１は、製本部１４が冊子を作成したときから、冊子６を排出口４４へ排出するまでの時間を短時間化することができる。
【００７７】
製本装置１は、画像形成装置１０から排出される中頁シート４の排出順序に応じて、切換制御部が切換部１２を制御することによって、中頁シート４が予め定める積層順序で積層部１３に積層される。以下に、切換部１２の制御の実施例１〜７について説明する。
【００７８】
各実施例１〜７において画像形成装置１０は、ロール紙などの帯状記録媒体の一表面に画像形成を行い、その後に帯状記録媒体の他表面、すなわち裏面に画像形成を行って、一表面および裏面に画像が形成された帯状記録媒体を枚葉に切断し、中頁シート４として１枚ずつ排出する。画像形成装置１０が排出する中頁シート４は、製本装置１の供給部１１の搬入口２１に搬入される。
【００７９】
各実施例１〜７において冊子６は、表紙シート５と、画像が形成される１枚以上の中頁シート４と、画像が形成されない中頁シート４である１枚の白紙シートとを含んで構成される。画像が形成される中頁シート４は、一連の頁番号によって互いに関連付けられている。中頁シート束４ａは、中頁シート収容領域６５において、最も左方Ｘ２に白紙シートが配置され、白紙シートの右方側Ｘ１で、昇順に中頁シート４が積層される。
【００８０】
（実施例１）
図７は、実施例１における中頁シート４の排出順序および切換部１２の制御を示す図である。本実施例では、画像形成装置１０および製本装置１の通常の処理を説明する。図７〜図１３では、中頁シート４の第１頁を「Ｐ１」と示し、同様に第ｎ頁を「Ｐｎ」と示し、白紙シートを「ＴＯＰ」と示す。
【００８１】
画像形成装置１０は、全１０頁の冊子６を作成するとき、処理Ａ１および処理Ａ２を行う。処理Ａ１では、画像形成装置１０は、帯状記録媒体の一表面に第１頁、第３頁、第５頁、第７頁、第９頁の画像を形成する。処理Ａ２では、画像形成装置１０は、処理Ａ１で一表面に画像が形成された帯状記録媒体の裏面に第１０頁、第８頁、第６頁、第４頁、第２頁の画像を形成する。
【００８２】
画像形成装置１０は、一表面および裏面にそれぞれ画像が形成された帯状記録媒体を枚葉に切断し、排出順序の１枚目として、第９頁および第１０頁の画像が形成された中頁シート４を排出する。図７〜図１３では、排出順序の１枚目を「Ｎ１」と示し、同様に排出順序のｎ枚目を「Ｎｎ」と示す。中頁シート収容領域６５の左右方向Ｘの仮想中心線をＺとする。
【００８３】
次に、画像形成装置１０は、排出順序の２枚目として第７頁および第８頁の画像が形成された中頁シート４を排出し、３枚目として第５頁および第６頁の画像が形成された中頁シート４を排出し、４枚目として第３頁および第４頁の画像が形成された中頁シート４を排出し、５枚目として第１頁および第２頁の画像が形成された中頁シート４を排出し、６枚目として白紙シートを排出する。
【００８４】
切換制御部は、切換部１２の切換部材５１を第１状態にし、中頁シート４が搬送経路Ｃ１を経て積層部１３へ順次搬送される。積層部１３は、搬送経路Ｃ１から搬送された中頁シート４の１枚目から６枚目を、左方Ｘ２に順に積層する。
【００８５】
（実施例２）
図８は、実施例２における中頁シート４の排出順序および切換部１２の制御を示す図である。本実施例では、画像形成装置１０が画像を形成している途中でインク切れが発生した場合の処理を説明する。画像形成装置１０は、インクリボンを用いて画像を印刷して形成する。前記インク切れとは、全てのインクリボンが消費された状態をいう。
【００８６】
画像形成装置１０は、全２４頁の冊子６を作成するとき、処理Ｂ１、処理Ｂ２、インクリボン装填、および処理Ｂ３〜Ｂ８を行う。画像形成装置１０は、インクリボンの残量を常に監視し、インクリボンの残量が予め定める残量よりも少なくなったとき、そのインクリボンの残量で画像形成が可能な頁数を算出する。画像形成装置１０は、画像形成の可能な頁数が、たとえば６頁であると算出すると、画像形成を行って３枚の中頁シート４を排出する。
【００８７】
画像形成装置１０は、処理Ｂ１では、帯状記録媒体の一表面に第１頁、第３頁、第５頁の画像を形成し、処理Ｂ２では、処理Ｂ１で一表面に画像が形成された帯状記録媒体の裏面に第６頁、第４頁、第２頁の画像を形成する。画像形成装置１０は、排出順序の１枚目として第５頁および第６頁の画像が形成された中頁シート４を排出し、２枚目として第３頁および第４頁の画像が形成された中頁シート４を排出し、３枚目として第１頁および第２頁の画像が形成された中頁シート４を排出し、４枚目として白紙シートを排出する。
【００８８】
切換制御部は、切換部１２の切換部材５１を第１状態にし、中頁シート４が搬送経路Ｃ１を経て積層部１３へ順次搬送される。積層部１３は、搬送経路Ｃ１から搬送された中頁シート４の１枚目から４枚目を、左方Ｘ２に順に積層する。
【００８９】
前記インクリボン装填では、画像形成装置１０は、画像形成を中断し、ユーザによってインクリボンの装填が行われる。画像形成装置１０は、インクリボンの装填後に画像形成を再開する。画像形成装置１０は、用紙切れなどによって画像形成が再び中断することを防止するために、帯状記録媒体の残量を確認し、画像形成を行う。画像形成装置１０は、予め定める残量、たとえば中頁シート４の３枚分に相当する帯状記録媒体の残量を確認する。用紙切れとは、画像形成を行うべき帯状記録媒体が不足することをいう。
【００９０】
画像形成装置１０は、処理Ｂ３では、帯状記録媒体の一表面に第１１頁、第９頁、第７頁の画像を形成し、処理Ｂ４では、処理Ｂ３で一表面に画像が形成された帯状記録媒体の裏面に第８頁、第１０頁、第１２頁の画像を形成する。画像形成装置１０は、排出順序の５枚目として第７頁および第８頁の画像が形成された中頁シート４を排出し、６枚目として第９頁および第１０頁の画像が形成された中頁シート４を排出し、７枚目として第１１頁および第１２頁の画像が形成された中頁シート４を排出する。
【００９１】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の５枚目から７枚目を、右方Ｘ１に順に積層する。
【００９２】
画像形成装置１０は、処理Ｂ５では、帯状記録媒体の一表面に第１７頁、第１５頁、第１３頁の画像を形成し、処理Ｂ６では、処理Ｂ５で一表面に画像が形成された帯状記録媒体の裏面に第１４頁、第１６頁、第１８頁の画像を形成する。画像形成装置１０は、排出順序の８枚目として第１３頁および第１４頁の画像が形成された中頁シート４を排出し、９枚目として第１５頁および第１６頁の画像が形成された中頁シート４を排出し、１０枚目として第１７頁および第１８頁の画像が形成された中頁シート４を排出する。
【００９３】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の８枚目から１０枚目を、右方Ｘ１に順に積層する。
【００９４】
画像形成装置１０は、処理Ｂ７では、帯状記録媒体の一表面に第２３頁、第２１頁、第１９頁の画像を形成し、処理Ｂ８では、処理Ｂ７で一表面に画像が形成された帯状記録媒体の裏面に第２０頁、第２２頁、第２４頁の画像を形成する。画像形成装置１０は、排出順序の１１枚目として第１９頁および第２０頁の画像が形成された中頁シート４を排出し、１２枚目として第２１頁および第２２頁の画像が形成された中頁シート４を排出し、１３枚目として第２３頁および第２４頁の画像が形成された中頁シート４を排出する。
【００９５】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の１１枚目から１３枚目を、右方Ｘ１に順に積層する。
【００９６】
（実施例３）
図９は、実施例３における中頁シート４の排出順序および切換部１２の制御を示す図である。本実施例では、画像形成装置１０が画像を形成している途中で用紙切れが発生した場合の処理を説明する。
【００９７】
画像形成装置１０は、全３０頁の冊子６を作成するとき、処理Ｃ１、処理Ｃ２、用紙装填、および処理Ｃ３〜Ｃ８を行う。画像形成装置１０は、一表面への画像形成の途中での用紙切れを検出すると、一表面への画像形成を中断し、裏面への画像形成を行う。本実施例では、第９頁の画像形成の終了後に用紙切れが起きることを検出した場合の処理を説明する。
【００９８】
画像形成装置１０は、処理Ｃ１では、帯状記録媒体の一表面に第１頁、第３頁、第５頁、第７頁、第９頁の画像を形成し、用紙切れが検出されているので一表面への画像形成を終える。画像形成装置１０は、処理Ｃ２では、処理Ｃ１で一表面に画像が形成された帯状記録媒体の裏面に第１０頁、第８頁、第６頁、第４頁、第２頁の画像を形成する。画像形成装置１０は、排出順序の１枚目として第９頁および第１０頁の画像が形成された中頁シート４を排出し、２枚目として第７頁および第８頁の画像が形成された中頁シート４を排出し、３枚目として第５頁および第６頁の画像が形成された中頁シート４を排出し、４枚目として第３頁および第４頁の画像が形成された中頁シート４を排出し、５枚目として第１頁および第２頁の画像が形成された中頁シート４を排出し、６枚目として白紙シートを排出する。
【００９９】
切換制御部は、切換部１２の切換部材５１を第１状態にし、中頁シート４が搬送経路Ｃ１を経て積層部１３へ順次搬送される。積層部１３は、搬送経路Ｃ１から搬送された中頁シート４の１枚目から６枚目を、左方Ｘ２に順に積層する。
【０１００】
前記用紙装填では、画像形成装置１０は、画像形成を中断し、ユーザによって帯状記録媒体の装填が行われる。画像形成装置１０は、帯状記録媒体の装填後に画像形成を再開する。画像形成装置１０は、用紙切れなどによって画像形成が再び中断することを防止するために、帯状記録媒体の残量を確認し、画像形成を行う。画像形成装置１０は、予め定める残量、たとえば中頁シート４の４枚分に相当する帯状記録媒体の残量を確認し、確認した残量の帯状記録媒体に対して画像を形成する。
【０１０１】
画像形成装置１０は、処理Ｃ３では、帯状記録媒体の一表面に第１７頁、第１５頁、第１３頁、第１１頁の画像を形成し、処理Ｃ４では、処理Ｃ３で一表面に画像が形成された帯状記録媒体の裏面に第１２頁、第１４頁、第１６頁、第１８頁の画像を形成する。画像形成装置１０は、排出順序の７枚目として第１１頁および第１２頁の画像が形成された中頁シート４を排出し、８枚目として第１３頁および第１４頁の画像が形成された中頁シート４を排出し、９枚目として第１５頁および第１６頁の画像が形成された中頁シート４を排出し、１０枚目として第１７頁および第１８頁の画像が形成された中頁シート４を排出する。
【０１０２】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の７枚目から１０枚目を、右方Ｘ１に順に積層する。
【０１０３】
画像形成装置１０は、処理Ｃ５では、帯状記録媒体の一表面に第２５頁、第２３頁、第２１頁、第１９頁の画像を形成し、処理Ｃ６では、処理Ｃ５で一表面に画像が形成された帯状記録媒体の裏面に第２０頁、第２２頁、第２４頁、第２６頁の画像を形成する。画像形成装置１０は、排出順序の１１枚目として第１９頁および第２０頁の画像が形成された中頁シート４を排出し、排出順序の１２枚目として第２１頁および第２２頁の画像が形成された中頁シート４を排出し、１３枚目として第２３頁および第２４頁の画像が形成された中頁シート４を排出し、１４枚目として第２５頁および第２６頁の画像が形成された中頁シート４を排出する。
【０１０４】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の１１枚目から１４枚目を、右方Ｘ１に順に積層する。
【０１０５】
画像形成装置１０は、処理Ｃ７では、帯状記録媒体の一表面に第２９頁、第２７頁の画像を形成し、処理Ｃ８では、処理Ｃ７で一表面に画像が形成された帯状記録媒体の裏面に第２８頁、第３０頁の画像を形成する。画像形成装置１０は、排出順序の１５枚目として第２７頁および第２８頁の画像が形成された中頁シート４を排出し、１６枚目として第２９頁および第３０頁の画像が形成された中頁シート４を排出する。
【０１０６】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の１５枚目および１６枚目を、右方Ｘ１に順に積層する。
【０１０７】
（実施例４）
図１０は、実施例４における中頁シート４の排出順序および切換部１２の制御を示す図である。本実施例では、画像形成装置１０が画像を形成している途中で用紙切れによる画像形成の中断が発生することが予想され、かつ画像形成の中断前にペーパジャムが発生した場合の処理を説明する。ペーパジャムとは、用紙詰まり、すなわち画像形成装置１０内において帯状記録媒体が搬送経路の途中で詰まっている状態をいう。本実施例では、６頁分の画像形成の終了後に用紙切れが起きることを検出し、用紙を装填するために画像形成を中断する前において、第６頁の画像形成の終了後にペーパジャムが発生したときの処理を説明する。
【０１０８】
画像形成装置１０は、全１０頁の冊子６を作成するとき、処理Ｄ１、処理Ｄ２、ペーパジャム処理、用紙装填、および処理Ｄ３〜Ｄ６を行う。画像形成装置１０は、処理Ｄ１では、帯状記録媒体の一表面に第１頁、第３頁、第５頁の画像を形成し、用紙切れが検出されているので一表面への画像形成を終える。画像形成装置１０は、処理Ｄ２では、処理Ｄ１で一表面に画像が形成された帯状記録媒体の裏面に第６頁、第４頁、第２頁の画像を形成することを予定する。第６頁の画像形成が終了した後に、ペーパジャムが発生した場合には、このペーパジャムの発生によって、画像形成は中断する。
【０１０９】
画像形成装置１０は、排出順序の１枚目として第５頁および第６頁の画像が形成された中頁シート４を排出する。切換制御部は、切換部１２の切換部材５１を第１状態にし、中頁シート４が搬送経路Ｃ１を経て積層部１３へ搬送される。積層部１３は、搬送経路Ｃ１から搬送された中頁シート４の１枚目を収容する。
【０１１０】
前記ペーパジャム処理では、第１頁および第２頁の画像が形成された帯状記録媒体がユーザによって取除かれ、帯状記録媒体の詰まりが解消される。前記用紙装填では、ユーザによって帯状記録媒体の装填が行われる。画像形成装置１０は、帯状記録媒体の装填後に画像形成を再開する。
【０１１１】
画像形成装置１０は、処理Ｄ３では、装填された帯状記録媒体の一表面に第１頁、第３頁の画像を形成し、処理Ｄ４では、処理Ｄ３で一表面に画像が形成された帯状記録媒体の裏面に第４頁、第２頁の画像を形成する。画像形成装置１０は、排出順序の２枚目として第３頁および第４頁の画像が形成された中頁シート４を排出し、３枚目として第１頁および第２頁の画像が形成された中頁シート４を排出し、４枚目として白紙シートを排出する。
【０１１２】
切換制御部は、切換部１２の切換部材５１を第１状態にし、中頁シート４が搬送経路Ｃ１を経て積層部１３へ順次搬送される。積層部１３は、搬送経路Ｃ１から搬送された中頁シート４の２枚目から４枚目を、左方Ｘ２に順に積層する。
【０１１３】
画像形成装置１０は、処理Ｄ５では、帯状記録媒体の一表面に第９頁、第７頁の画像を形成し、処理Ｄ６では、処理Ｄ５で一表面に画像が形成された帯状記録媒体の裏面に第８頁、第１０頁の画像を形成する。画像形成装置１０は、排出順序の５枚目として第７頁および第８頁の画像が形成された中頁シート４を排出し、６枚目として第９頁および第１０頁の画像が形成された中頁シート４を排出する。
【０１１４】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の５枚目および６枚目を、右方Ｘ１に順に積層する。
【０１１５】
（実施例５）
図１１は、実施例５における中頁シート４の排出順序および切換部１２の制御を示す図である。本実施例では、画像形成装置１０が画像を形成している途中で用紙切れによる画像形成の中断が発生し、画像形成の再開後にペーパジャムが発生した場合の処理を説明する。本実施例では、４頁分の画像形成の終了後に用紙切れが起きることを検出し、画像形成が再開かれた後において、第８頁の画像形成の終了後にペーパジャムが発生したときの処理を説明する。
【０１１６】
画像形成装置１０は、全１０頁の冊子６を作成するとき、処理Ｅ１、処理Ｅ２、用紙装填、処理Ｅ３、処理Ｅ４、ペーパジャム処理、処理Ｅ５および処理Ｅ６を行う。画像形成装置１０は、処理Ｅ１では、帯状記録媒体の一表面に第１頁、第３頁の画像を形成し、用紙切れが検出されているので一表面への画像形成を終える。画像形成装置１０は、処理Ｅ２では、処理Ｅ１で一表面に画像が形成された帯状記録媒体の裏面に第４頁、第２頁の画像を形成する。
【０１１７】
画像形成装置１０は、排出順序の１枚目として第３頁および第４頁の画像が形成された中頁シート４を排出し、２枚目として第１頁および第２頁の画像が形成された中頁シート４を排出し、３枚目として白紙シートを排出する。
【０１１８】
切換制御部は、切換部１２の切換部材５１を第１状態にし、中頁シート４が搬送経路Ｃ１を経て積層部１３へ順次搬送される。積層部１３は、搬送経路Ｃ１から搬送された中頁シート４の１枚目から３枚目を、左方Ｘ２に順に積層する。
【０１１９】
前記用紙装填では、画像形成装置１０は、画像形成を中断し、ユーザによって帯状記録媒体の装填が行われる。画像形成装置１０は、帯状記録媒体の装填後に画像形成を再開する。画像形成装置１０は、用紙切れなどによって画像形成が再び中断することを防止するために、帯状記録媒体の残量を確認し、画像形成を行う。画像形成装置１０は、予め定める残量、たとえば中頁シート４の６枚分に相当する帯状記録媒体の残量を確認し、確認した残量の帯状記録媒体に対して画像を形成する。
【０１２０】
画像形成装置１０は、処理Ｅ３では、装填された帯状記録媒体の一表面に第９頁、第７頁、第５頁の画像を形成する。画像形成装置１０は、処理Ｅ４では、処理Ｅ３で一表面に画像が形成された帯状記録媒体の裏面に第６頁、第８頁、第１０頁の画像を形成することを予定する。第６頁および第８頁の画像形成が終了後にペーパジャムが発生した場合には、このペーパジャムの発生によって、画像形成は中断する。
【０１２１】
画像形成装置１０は、排出順序の４枚目として第５頁および第６頁の画像が形成された中頁シート４を排出し、５枚目として第７頁および第８頁の画像が形成された中頁シート４を排出する。
【０１２２】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の５枚目および６枚目を、右方Ｘ１に順に積層する。
【０１２３】
前記ペーパジャム処理では、第９頁の画像が形成された帯状記録媒体がユーザによって取除かれ、帯状記録媒体の詰まりが解消される。画像形成装置１０は、ペーパジャム処理の終了後に画像形成を再開する。
【０１２４】
画像形成装置１０は、処理Ｅ５では、帯状記録媒体の一表面に第９頁の画像を形成し、処理Ｅ６では、処理Ｅ５で一表面に画像が形成された帯状記録媒体の裏面に第１０頁の画像を形成する。画像形成装置１０は、排出順序の６枚目として第９頁および第１０頁の画像が形成された中頁シート４を排出する。
【０１２５】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の６枚目を、右方Ｘ１に積層する。
【０１２６】
（実施例６）
図１２は、実施例６における中頁シート４の排出順序および切換部１２の制御を示す図である。本実施例では、画像形成装置１０が全１０頁の画像を形成するときであり、かつインクリボンの残量が８頁分あるときに、５頁目の画像形成を終了後に用紙切れを検出し、さらに６頁目の画像形成の終了後にペーパジャムが発生した場合の処理を説明する。画像形成装置１０は、インク切れが起こる時点と、用紙切れが起こる時点とを監視し、早く起こる方を優先して処理する。
【０１２７】
図１２（ａ）は、計画変更前の画像形成装置１０の処理を示し、図１２（ｂ）は、計画変更後の画像形成装置１０の処理を示す。図１２（ａ）に示す計画では、画像形成装置１０は、全１０頁の冊子６を作成するとき、処理Ｆ１、処理Ｆ２、用紙装填、処理Ｆ３および処理Ｆ４を行う。画像形成装置１０は、処理Ｆ１では、帯状記録媒体の一表面に第１頁、第３頁、第５頁の画像を形成し、用紙切れが検出されているので一表面への画像形成を終える。画像形成装置１０は、処理Ｆ２では、処理Ｆ１で一表面に画像が形成された帯状記録媒体の裏面に第６頁、第４頁、第２頁の画像を形成する。
【０１２８】
前記用紙装填では、画像形成装置１０は、画像形成を中断し、ユーザによって帯状記録媒体の装填が行われる。画像形成装置１０は、処理Ｆ３では、装填された帯状記録媒体の一表面に第９頁、第７頁の画像を形成し、処理Ｆ４では、処理Ｆ３で一表面に画像が形成された帯状記録媒体の裏面に第８頁、第１０頁の画像を形成する。第９頁の画像形成が終了した後に、インクリボンが装填される予定である。
【０１２９】
画像形成装置１０は、図１２（ａ）に示す計画に従って画像形成を行う際に、処理Ｆ２での第６頁の画像形成が終了した後にペーパジャムが発生した場合には、画像形成の計画を図１２（ｂ）に示す計画に変更する。
【０１３０】
図１２（ｂ）に示す計画では、画像形成装置１０は、全１０頁の冊子６を作成するとき、処理Ｇ１、処理Ｇ２、ペーパジャム処理、用紙装填、処理Ｇ３〜処理Ｇ６、インクリボン装填、処理Ｇ７および処理Ｇ８を行う。画像形成装置１０は、処理Ｇ１および処理Ｇ２は、前述の処理Ｆ１および処理Ｆ２と同様の処理を行うので説明を省略する。
【０１３１】
画像形成装置１０は、排出順序の１枚目として第５頁および第６頁の画像が形成された中頁シート４を排出する。切換制御部は、切換部１２の切換部材５１を第１状態にし、中頁シート４が搬送経路Ｃ１を経て積層部１３へ搬送される。積層部１３は、搬送経路Ｃ１から搬送された中頁シート４の１枚目を収容する。
【０１３２】
前記ペーパジャム処理では、第１頁および第３頁の画像が形成された帯状記録媒体がユーザによって取除かれ、帯状記録媒体の詰まりが解消される。前記用紙装填では、ユーザによって帯状記録媒体の装填が行われる。画像形成装置１０は、帯状記録媒体の装填後に画像形成を再開する。
【０１３３】
画像形成装置１０は、処理Ｇ３では、装填された帯状記録媒体の一表面に第３頁の画像を形成し、処理Ｇ４では、処理Ｇ３で一表面に画像が形成された帯状記録媒体の裏面に第４頁の画像を形成する。画像形成装置１０は、排出順序の２枚目として第３頁および第４頁の画像が形成された中頁シート４を排出する。切換制御部は、切換部１２の切換部材５１を第１状態にし、中頁シート４が搬送経路Ｃ１を経て積層部１３へ搬送される。積層部１３は、搬送経路Ｃ１から搬送された中頁シート４の１枚目を、左方Ｘ２に積層する。
【０１３４】
画像形成装置１０は、処理Ｇ５では、帯状記録媒体の一表面に第１頁の画像を形成し、処理Ｇ６では、処理Ｇ５で一表面に画像が形成された帯状記録媒体の裏面に第２頁の画像を形成する。画像形成装置１０は、排出順序の３枚目として第１頁および第２頁の画像が形成された中頁シート４を排出し、４枚目として白紙シートを排出する。切換制御部は、切換部１２の切換部材５１を第１状態にし、中頁シート４が搬送経路Ｃ１を経て積層部１３へ搬送される。積層部１３は、搬送経路Ｃ１から搬送された中頁シート４の３枚目および４枚目を、左方Ｘ２に順に積層する。
【０１３５】
前記インクリボン装填では、画像形成装置１０は、画像形成を中断し、ユーザによってインクリボンの装填が行われる。画像形成装置１０は、インクリボンの装填後に画像形成を再開する。
【０１３６】
画像形成装置１０は、処理Ｇ７では、帯状記録媒体の一表面に第９頁、第７頁の画像を形成し、処理Ｇ８では、処理Ｇ７で一表面に画像が形成された帯状記録媒体の裏面に第８頁、第１０頁の画像を形成する。画像形成装置１０は、排出順序の５枚目として第７頁および第８頁の画像が形成された中頁シート４を排出し、６枚目として第９頁および第１０頁の画像が形成された中頁シート４を排出する。
【０１３７】
切換制御部は、切換部１２の切換部材５１を第２状態にし、中頁シート４が搬送経路Ｃ２を経て積層部１３へ順次搬送される。積層部１３は、搬送経路Ｃ２から搬送された中頁シート４の５枚目および６枚目を、右方Ｘ１に順に積層する。
【０１３８】
（実施例７）
図１３は、実施例７における中頁シート４の排出順序および切換部１２の制御を示す図である。本実施例では、画像形成装置１０が全１０頁の画像を形成するときに、インクリボンの正確な残量が分からずに画像形成の途中でインクリボンの残量が無くなった場合の処理を説明する。
【０１３９】
画像形成装置１０は、全１０頁の冊子６を作成するとき、処理Ｈ１、処理Ｈ２、インクリボン装填、処理Ｈ３、および処理Ｈ４を行う。画像形成装置１０は、処理Ｈ１では、帯状記録媒体の一表面に第１頁、第３頁、第５頁、第７頁、第９頁の画像を形成する。画像形成装置１０は、処理Ｈ２では、処理Ｈ１で一表面に画像が形成された帯状記録媒体の裏面に第１０頁、第８頁の画像を形成し、インクリボンの残量が無くなったことを検出する。
【０１４０】
画像形成装置１０は、排出順序の１枚目として第９頁および第１０頁の画像が形成された中頁シート４を排出し、２枚目として第７頁および第８頁の画像が形成された中頁シート４を排出する。また画像形成装置１０は、一表面に第１頁、第３頁、第５頁の画像形成を行った帯状記録媒体を廃棄する。
【０１４１】
切換制御部は、切換部１２の切換部材５１を第１状態にし、中頁シート４が搬送経路Ｃ１を経て積層部１３へ搬送される。積層部１３は、搬送経路Ｃ１から搬送された中頁シート４の１枚目および２枚目を、左方Ｘ２に順に積層する。
【０１４２】
前記インクリボン装填では、画像形成装置１０は、画像形成を中断し、ユーザによってインクリボンの装填が行われる。画像形成装置１０は、インクリボンの装填後に画像形成を再開する。
【０１４３】
画像形成装置１０は、処理Ｈ３では、帯状記録媒体の一表面に第１頁、第３頁、第５頁の画像を形成し、処理Ｈ４では、処理Ｈ３で一表面に画像が形成された帯状記録媒体の裏面に第６頁、第４頁、第２頁の画像を形成する。
【０１４４】
画像形成装置１０は、排出順序の３枚目として第５頁および第６頁の画像が形成された中頁シート４を排出し、４枚目として第３頁および第４頁の画像が形成された中頁シート４を排出し、５枚目として第１頁および第２頁の画像が形成された中頁シート４を排出し、６枚目として白紙シートを排出する。
【０１４５】
切換制御部は、切換部１２の切換部材５１を第１状態にし、中頁シート４が搬送経路Ｃ１を経て積層部１３へ搬送される。積層部１３は、搬送経路Ｃ１から搬送された中頁シート４の３枚目から６枚目を、左方Ｘ２に順に積層する。
【０１４６】
このように、積層部１３は、実施例１〜７で説明したように画像形成装置１０からの複数の中頁シート４の排出が異なる順序によって行われても、複数の中頁シート４を予め定める順序で左右方向Ｘに積層することができる。したがって、画像形成装置１０は、複数種類の排出パターンを有する画像形成装置１０と組み合わせることができ、汎用性を高めることができる。
【０１４７】
実施例１〜７では、画像形成装置１０が帯状記録媒体に画像を形成する構成であるけれども、他の実施例では、画像形成装置１０は、枚葉に切断された中頁シート４に対して表面および裏面に画像を形成し、画像が形成された中頁シート４を１枚ずつ排出する構成であってもよい。
【符号の説明】
【０１４８】
１  製本装置
４  中頁シート
５  表紙シート
６  冊子
７  接着部材
１０  画像形成装置
１１  供給部
１２  切換部
１３  積層部
１４  製本部
１５  表紙シート収容部
１６  表紙シート取出部
１７  印字部
１８  昇降搬送部
【図１】
2011218568.tif 000003
【図２】
2011218568.tif 000004
【図３】
2011218568.tif 000005
【図４】
2011218568.tif 000006
【図５】
2011218568.tif 000007
【図６】
2011218568.tif 000008
【図７】
2011218568.tif 000009
【図８】
2011218568.tif 000010
【図９】
2011218568.tif 000011
【図１０】
2011218568.tif 000012
【図１１】
2011218568.tif 000013
【図１２】
2011218568.tif 000014
【図１３】
2011218568.tif 000015